(57)【特許請求の範囲】
【請求項１】
使用状態に対して上下面を有する本体、
前記本体の上面に形成されて使用者に情報の可視ディスプレイを提供するスクリーン、
前記本体の上面側に取り付けられた第一パネル、
第一面および第二面を有しかつ前記本体に取り付けられて開放位置と閉鎖位置間で枢軸運動する第二パネル、および
前記第二パネルの第二面に形成された第一部と前記第一パネルに形成された第二部の２つの部により構成されたファンクションキーボードを含み、
前記第二パネルの第一面は閉鎖位置において使用者によるアクセスが可能であり、かつ前記第二面は開放位置において使用者によるアクセスが可能であり、
前記ファンクションキーボードの第一部および第二部の各々は所定の選択された機能に対応するキーアレイを有し、前記ファンクションキーボードは開放位置において操作使用するために露出され、かつ
前記第一パネルおよび第二パネルは開放位置において前記スクリーンの両側に位置する、多用途操作用電子装置。
【請求項２】
前記第一パネルおよび第二パネルは閉鎖位置において整列して重合する、請求項１に記載の多用途操作用電子装置。
【請求項３】
前記ファンクションキーボードは前記第一パネルおよび第二パネルのそれぞれに形成されたＱＷＥＲＴＹファンクションキーアレイ分割部から成る、請求項１に記載の多用途操作用電子装置。
【請求項４】
前記ファンクションキーボードは前記第一パネルと前記第二パネルとの間で分割された多機能キーを有するゲームコントローラから成る、請求項１に記載の多用途操作用電子装置。
【請求項５】
前記ファンクションキーボードの第一部および第二部の前記キーアレイは閉鎖位置においてキー間での干渉を防止するためにオフセット配置されている、請求項１に記載の多用途操作用電子装置。
【請求項６】
本装置は移動通信装置であり、かつ前記第二パネルの第一面上に形成された通信キーパッドを含み、前記キーパッドは閉鎖位置において操作使用するために露出されている、請求項１に記載の多用途操作用電子装置。
【請求項７】
本装置は制御ユニットを更に含み、前記制御ユニットは前記第一パネルおよび第二パネル間の相対的位置に対応して前記スクリーン上のディスプレイの配向を回転させて、閉鎖位置において前記ディスプレイの配向を前記通信キーパッドと整列させ、かつ開放位置において前記ファンクションキーボードと整列させる、請求項６に記載の多用途操作用電子装置。
【請求項８】
前記スクリーン上のディスプレイの配向は前記開放位置と前記閉鎖位置間で９０°回転する、請求項７に記載の多用途操作用電子装置。
【請求項９】
前記ディスプレイの配向は前記第二パネルの位置により制御される、請求項７に記載の多用途操作用電子装置。
【請求項１０】
前記通信キーパッドは開放位置において操作無効モードにロックされる、請求項６に記載の多用途操作用電子装置。
【請求項１１】
移動通信装置に使用するためのファンクションキーボードであって、前記通信装置は本体、通信キーパッド、および使用者に情報を表示するためのスクリーンを含み、前記ファンクションキーボードは、
上下面を有する本体に取り付けられた第一パネル、
第一面および第二面を有しかつ前記本体に取り付けられて開放位置と閉鎖位置間で枢軸運動する第二パネル、および
前記第二パネルの第二面に形成された第一部と前記第一パネルの上面に形成された第二部の２つの部を有し、
前記通信キーパッドは前記第二パネルの第一面上に形成され、前記キーパッドは閉鎖位置において操作使用するために露出され、
前記ファンクションキーボードの第一部および第二部の各々は所定の選択された機能に対応するキーアレイを有し、
前記ファンクションキーボードは開放位置において操作使用するために露出され、かつ
前記第一パネルおよび第二パネルは開放位置において前記スクリーンの両側に位置する、移動通信装置用ファンクションキーボード。
【請求項１２】
使用状態に対して上下面を有する本体、
前記本体の上面に形成されて使用者に情報の可視ディスプレイを提供するスクリーン、
前記本体の上面に取り付けられた第一パネル、
第一面および第二面を有しかつ前記本体上に取り付けられて開放位置と閉鎖位置間で枢軸運動する第二パネル、
前記第二パネルの第一面上に形成されて閉鎖位置において操作使用のために露出された通信キーパッド、および
前記第二パネルの第二面に形成された第一部と前記第一パネルの上面に形成された第二部の２つの部により構成されたファンクションキーボードを含み、
前記第一面は閉鎖位置において使用者によるアクセスが可能であり、かつ前記第二面は開放位置において使用者によるアクセスが可能であり、
前記ファンクションキーボードの第一部および第二部の各々は所定の選択された機能に対応するキーアレイを有し、前記ファンクションキーボードは開放位置において操作使用のために露出され、かつ
前記第一パネルおよび第二パネルは開放位置において前記スクリーンの両側に位置する、多用途操作用移動通信装置。
【請求項１３】
電子装置に使用するためのファンクションキーボードであって、前記電子装置は本体、および使用者に情報を表示するためのスクリーンを含み、前記ファンクションキーボードは、
上下面を有する本体に取り付けられた第一パネル、
第一面および第二面を有しかつ前記本体上に取り付けられて開放位置と閉鎖位置間で枢軸運動する第二パネル、および
前記第二パネルの第二面に形成された第一部と前記第一パネルの上面に形成された第二部の２つの部を有し、
前記ファンクションキーボードの第一部および第二部の各々は所定の選択された機能に対応するキーアレイを有し、
前記ファンクションキーボードは開放位置において操作使用のために露出され、かつ
前記第一パネルおよび第二パネルは開放位置において前記スクリーンの両側に位置する、電子装置用ファンクションキーボード。
【請求項１４】
前記第一パネルおよび第二パネルは閉鎖位置において整列して重合する、請求項１３に記載の電子装置用ファンクションキーボード。
【請求項１５】
前記ファンクションキーボードの第一部および第二部は分割されたＱＷＥＲＴＹタイプのフルファンクションキーアレイを形成すべく共働する、請求項１３に記載の電子装置用ファンクションキーボード。
【請求項１６】
前記ファンクションキーボードの第一部および第二部は前記第一パネルと前記第二パネルとの間で分割された多機能キーを有するゲームコントローラを含む、請求項１３に記載の電子装置用ファンクションキーボード。
【請求項１７】
前記第一パネルおよび第二パネル上の前記キーアレイは閉鎖位置においてキー間での干渉を防止するためにオフセット配置されている、請求項１３に記載の電子装置用ファンクションキーボード。
【請求項１８】
前記装置は移動通信装置であり、かつ前記第二パネルの第一面上に形成された通信キーパッドを含み、前記キーパッドは閉鎖位置において操作使用のために露出されている、請求項１３に記載の電子装置用ファンクションキーボード。
【請求項１９】
制御ユニットを更に含み、前記制御ユニットは前記第一パネルおよび第二パネルの相対的操作位置に対応して前記スクリーン上のディスプレイの配向を回転させて、閉鎖位置において前記ディスプレイの配向を前記通信キーパッドと整列させ、かつ開放位置において前記ファンクションキーボードと整列させる、請求項１８に記載の電子装置用ファンクションキーボード。
【請求項２０】
前記スクリーン上のディスプレイの配向は前記開放位置と前記閉鎖位置間で９０°回転する、請求項１８に記載の電子装置用ファンクションキーボード。
【請求項２１】
前記ディスプレイの配向は前記第二パネルの位置により制御される、請求項１８に記載の電子装置用ファンクションキーボード。
【請求項２２】
前記通信装置キーパッドは開放位置において操作無効モードにロックされる、請求項１８に記載の電子装置用ファンクションキーボード。
【発明の詳細な説明】
【０００１】
【発明の属する技術分野】
本発明は多用途操作用電子装置、多用途操作用移動通信装置、電子装置に使用するためのファンクションキーボード、および移動通信装置に使用するためのファンクションキーボードに関する。
【０００２】
【従来の技術】
通信電話および類似通信装置は用途および機能において急速に膨張している。かかる装置は電話通信に加えてインターネットアクセス、個人情報管理、ファクシミリ、メッセージを即時提供する。この機能を達成するために、移動装置に適応し更に複雑な用途に適合するキーボードの提供が必要である。標準的ＱＷＥＲＴＹタイプのキーアレイおよびボタン等から成るフルファンクションキーボードは移動装置に必要とされるコンパクトサイズを維持しながら提供することは困難である。市場におけるかかる装置は、今日、煩雑でありかつしばしば使用者が個人的に移動装置を運搬するにはベルト用分離ポーチを必要とする。更に、広範囲の機能に適応するためにスクリーンディスプレイ上に調和させる必要がある。
【０００３】
【発明が解決しようとする課題】
本発明の課題は種々電子装置、移動通信装置等に適応し、拡大する用途を収容するフルファンクションキーボードを有する簡単かつ安価な手段を提供することにある。
【０００４】
【課題を解決するための手段】
本発明による移動通信装置はユーザインターフエイス通信を表示するための可視スクリーンを取り付けた本体を有する構成である。第一パネルは前記本体に取り付けられ、フルファンクションキーボードの１／２のファンクションキーボードを含みかつ後カバーを有する。第二パネルは前記本体に軸着され、２つの位置を回転する。即ち、閉鎖位置と開放位置間を回転する。第二パネルは両面で構成され、その外面、即ち第一面、およびその内面、即ち、第二面を有する構成であり、前記閉鎖位置において、前記内面は前記第一パネルのキーボードに対面し、前記外面は露出する。開放位置において、前記第二パネルは略１８０°枢軸回転して、前記外面がその移動通信装置の使用者から離れる方向に対面しかつ前記内面が露出される。
【０００５】
通信装置として前記装置を操作するために、通信キーパッドは第二パネルの外面内に構成される。フルファンクションキーボードの２分割部を提供するために、前記内面は開放位置において第一パネルのキーボードと連携機能するキーボードを含む。前記スクリーンは前記第二パネルの各位置で露出維持される。前記スクリーン上のディスプレイは前記パネルの位置に対応するように配向される。
【０００６】
更に具体的には、本発明による多用途操作用電子装置は、使用状態に対して上下面を有する本体、前記本体の上面に形成されて使用者に情報の可視ディスプレイを提供するスクリーン、前記本体の上面側に取り付けられた第一パネル、第一面および第二面を有しかつ前記本体に取り付けられて開放位置と閉鎖位置間で枢軸運動する第二パネル、ならびに前記第二パネルの第二面に形成された第一部と前記第一パネルに形成された第二部の２つの部により構成されたファンクションキーボードを含み、前記第二パネルの第一面は閉鎖位置において使用者によるアクセスが可能であり、かつ前記第二面は開放位置において使用者によるアクセスが可能であり、前記ファンクションキーボードの第一部および第二部の各々は所定の選択された機能に対応するキーアレイを有し、前記ファンクションキーボードは開放位置において操作使用するために露出されることを特徴とする。
【０００７】
好適形態において、前記第一パネルおよび第二パネルは閉鎖位置において整列して重合し、かつ前記第一パネルおよび第二パネルは開放位置において前記スクリーンの両側になる。
好適形態において、前記ファンクションキーボードは前記第一パネルおよび第二パネルのそれぞれに形成されたＱＷＥＲＴＹファンクションキーアレイ分割部から成る。
好適形態において、前記ファンクションキーボードは前記第一パネルと前記第二パネルとの間で分割された多機能キーを有するゲームコントローラから成る。
好適形態において、前記ファンクションキーボードの第一部および第二部の前記キーアレイは閉鎖位置においてキー間での干渉を防止するためにオフセット配置されている。
好適形態において、本装置は移動通信装置であり、かつ前記第二パネルの第一面上に形成された通信キーパッドを含み、前記キーパッドは閉鎖位置において操作使用するために露出されている。
好適形態において、本装置は制御ユニットを更に含み、前記制御ユニットは前記第一パネルおよび第二パネル間の相対的位置に対応して前記スクリーン上のディスプレイの配向を回転させて、閉鎖位置において前記ディスプレイの配向を前記通信キーパッドと整列させ、かつ開放位置において前記ファンクションキーボードと整列させる。
好適形態において、前記スクリーン上のディスプレイは前記開放位置と前記閉鎖位置間で９０°回転する。
好適形態において、前記ディスプレイの配向は前記第二パネルの位置により制御される。
好適形態において、前記通信キーパッドは開放位置において操作無効モードにロックされる。
【０００８】
本発明による移動通信装置用ファンクションキーボードは、移動通信装置に使用するためのファンクションキーボードであって、前記通信装置は本体、通信キーパッド、および使用者に情報を表示するためのスクリーンを含み、前記ファンクションキーボードは、上下面を有する本体に取り付けられた第一パネル、第一面および第二面を有しかつ前記本体に取り付けられて開放位置と閉鎖位置間で枢軸運動する第二パネル、ならびに前記第二パネルの第二面に形成された第一部と前記第一パネルの上面に形成された第二部の２つの部を有し、前記通信キーパッドは前記第二パネルの第一面上に形成され、前記キーパッドは閉鎖位置において操作使用するために露出され、前記ファンクションキーボードの第一部および第二部の各々は所定の選択された機能に対応するキーアレイを有し、前記ファンクションキーボードは開放位置において操作使用するために露出されることを特徴とする。
【０００９】
本発明による多用途操作用移動通信装置は、使用状態に対して上下面を有する本体、前記本体の上面に形成されて使用者に情報の可視ディスプレイを提供するスクリーン、前記本体の上面に取り付けられた第一パネル、第一面および第二面を有しかつ前記本体上に取り付けられて開放位置と閉鎖位置間で枢軸運動する第二パネル、前記第二パネルの第一面上に形成されて閉鎖位置において操作使用のために露出された通信キーパッド、ならびに前記第二パネルの第二面に形成された第一部と前記第一パネルの上面に形成された第二部の２つの部により構成されたファンクションキーボードを含み、前記第一面は閉鎖位置において使用者によるアクセスが可能であり、かつ前記第二面は開放位置において使用者によるアクセスが可能であり、前記ファンクションキーボードの第一部および第二部の各々は所定の選択された機能に対応するキーアレイを有し、前記ファンクションキーボードは開放位置において操作使用のために露出されることを特徴とする。
本発明による多用途操作用移動通信装置は、電子装置に使用するためのファンクションキーボードであって、前記電子装置は本体、および使用者に情報を表示するためのスクリーンを含み、前記ファンクションキーボードは、上下面を有する本体に取り付けられた第一パネル、第一面および第二面を有しかつ前記本体上に取り付けられて開放位置と閉鎖位置間で枢軸運動する第二パネル、ならびに前記第二パネルの第二面に形成された第一部と前記第一パネルの上面に形成された第二部の２つの部を有し、前記ファンクションキーボードの第一部および第二部の各々は所定の選択された機能に対応するキーアレイを有し、前記ファンクションキーボードは開放位置において操作使用のために露出されることを特徴とする。
【００１０】
好適形態において、前記第一パネルおよび第二パネルは閉鎖位置において整列して重合し、かつ前記第一パネルおよび第二パネルは開放位置において前記スクリーンの両側になる構成である。
好適形態において、前記ファンクションキーボードの第一部および第二部は分割されたＱＷＥＲＴＹタイプのフルファンクションキーアレイを形成すべく共働する。
好適形態において、前記ファンクションキーボードの第一部および第二部は前記第一パネルと前記第二パネルとの間で分割された多機能キーを有するゲームコントローラを含む。
好適形態において、前記第一パネルおよび第二パネル上の前記キーアレイは閉鎖位置においてキー間での干渉を防止するためにオフセット配置されている。
好適形態において、前記装置は移動通信装置であり、かつ前記第二パネルの第一面上に形成された通信キーパッドを含み、前記キーパッドは閉鎖位置において操作使用のために露出されている。
好適形態において、本発明による多用途操作用電子装置等上記キーボードは制御ユニットを更に含み、前記制御ユニットは前記第一パネルおよび第二パネルの相対的操作位置に対応して前記スクリーン上のディスプレイの配向を回転させて、閉鎖位置において前記ディスプレイの配向を前記通信キーパッドと整列させ、かつ開放位置において前記ファンクションキーボードと整列させる。
好適形態において、前記スクリーン上のディスプレイは前記開放位置と前記閉鎖位置間で９０°回転する。
好適形態において、前記ディスプレイの配向は前記第二パネルの位置により制御される。
好適形態において、前記通信装置キーパッドは開放位置において操作無効モードにロックされる。
【００１１】
【発明の実施の形態】
移動通信装置はフルファンクションキーボードを有する。図解目的から、本発明は移動電話を参照して説明するが、ページャ、ゲームユニット等の他の装置に使用できる。図３（ａ）に示されたように、移動電話１は本体２を有する構成である。本体２は使用者のアクションに対応して使用者に関連情報を通信するためのディスプレイ４を提供するスクリーン３を囲じょうする。移動電話１は本体２上に取り付けられた２つのパネル５および６を有する構成である。図３において、パネル５は分離構成要素として本体２へ固定されているが、本体２と一体的に構成されてよい。パネル６は図１および２に示されたように本体２上で軸ｘ−ｘを中心に回転自在である。
【００１２】
閉鎖位置を参照して説明すると、図３（ａ）に示されたように第一位置においてパネル６は回転してパネル５と整合するように重なり合う。回転パネル６は２つの反対平面７および８を有する。平面７はパネル６が閉鎖位置時に内面になり、かつ平面８は閉鎖位置時に外面となる。好適形態において、外面８は、移動電話１を通信モードで正確に操作するときに使用する標準的電話キーパッド９を含む。閉鎖位置において、本装置は標準的に操作される移動電話と同様に作動し、かつスクリーン３のディスプレイ４はキーパッド９と整合するように配向される。
【００１３】
本発明の好適形態によるフルファンクションキーボードを提供するために、特定用途に使用されるキーおよびボタンのアレイ１２は二分割されてキーボードの左右部１０および１１に配置されている。キーボード操作を促進するために、両手による親指作動可能に設計されている。これは両手に小さい装置を保持しかつキーボードの左右部１０および１１を精確かつ効率的に操作する上で便利である。
【００１４】
図３に示されたように、キーボードの左部１０は電話キーパッド９の反対側で回転パネル６の内面７上に構成される。キーボードの右部１１はパネル５の上面１３上で構成される。後カバーはパネル５の下面１４上に組立てられる。パネル５および６の閉鎖位置におけるコンパクト係合を確実にするために、対向面７および１３上のキーアレイ１２の部は閉鎖位置において干渉を回避するためにオフセットされている（配置をずらす）。
【００１５】
キーボードのアレイ１２を操作するために、図２に示されたように、パネル６を開放位置へ略１８０°回転して、スクリーン３によりキーボードの左右部を分離した実質的フラットユニットに形成する。そのように展開したキーボードは、いずれかの手により左右部を保持することにより親指により至便に操作できる。開放位置において、パネル６の外面８は使用者から離れる側に配向される。
【００１６】
スクリーン３のディスプレイ４は使用モードに依存して２つの位置に配向するように制御される。閉鎖位置においてディスプレイ４はキーパッド９と整列に配向され、かつ開放位置においてディスプレイ４はフルファンクションキーアレイ１２と整列する。図３（ｂ）および（ｃ）に図示されたように、ディスプレイ４の配向は、パネル６が閉鎖位置になる移動電話モードからパネル６が開放位置になるフルファンクションモードまでの間で９０°回転する。これは、パネル６が開放時または閉鎖時に制御ユニット１６に信号を送信するパネル位置インジケータ１５を設けることにより達成される。制御ユニット１６はハードウエアまたはソフトウエアを含むマイクロプロセッサ、ディスプレイドライバまたは他の手段であってよい。これは自動制御または使用者により手動制御できるボタンであってよい。制御ユニット１６はディスプレイ制御器１７に信号を送信して必要に応じてディスプレイ４の位置を配向する。更に、開放位置において、キーパッド９は電話キーパッドロック１８により操作無効モードにロックされる。
【００１７】
図５に示された他の形態において、キーパッド９の代わりに、ゲームコントローラキーパッドが設けられている。ゲームキーボードはパネル５および６のそれぞれに形成された作動ボタン１９およびモーションパッド２０で構成される。電話キーパッド９は上述したようにパネル６の反対側に形成される。他の形態において、本装置は通信能力を有しないゲームユニットとしてのみ使用できる設計であってよい。
このように、簡単かつコンパクトなキーボードが移動通信装置に操作自在に結合されて提供される。他のキーアレイ、例えば、フランスのＡｚｅｒｔｙまたはドイツのＯｗｅｒｔｚ（Ｕ）等が使用できる。本装置はゲームソフトまたはハードウエアにより駆動されるマイクロプロセッサベースのゲームユニットとして有用である。
【図面の簡単な説明】
【図１】閉鎖位置の本発明による通信装置の上面図である。
【図２】開放位置の本発明による通信装置の上面図である。
【図３】（ａ）は閉鎖位置の本発明による通信装置の側面図、（ｂ）は閉鎖位置の本発明による通信装置のディスプレイ配向の概略図、（ｃ）は開放位置の本発明による通信装置のディスプレイ配向の概略図である。
【図４】本発明に使用できる通信装置の制御システムのブロック図である。
【図５】本発明による他の形態の上面図である。
【符号の説明】
１…移動電話（移動通信装置）
２…本体
３…スクリーン
４…ディスプレイ
５，６…パネル
７，８…平面（内面，外面）
９…キーパッド
１０１…キーボードの左部
１１…キーボードの右部
１２…キーおよびボタンのアレイ
１３…上面
１４…下面
１５…パネル位置インジケータ
１６…制御ユニット
１７…ディスプレイ制御器
１８…キーパッドロック
１９…作動ボタン
２０…モーションパッド
【図１】
0003612036.tif 000002
【図２】
0003612036.tif 000003
【図３】
0003612036.tif 000004
【図４】
0003612036.tif 000005
【図５】
0003612036.tif 000006